(57)【要約】  ＣＤ又はＤＶＤには空白の印刷可能層（１１）をその上面に有し、該印刷可能層には内周部（１２）、外周部（１４）、内周部（１２）に隣接して除去可能な内側境界部（１３）、外周部（１４）に隣接して除去可能な外側境界部（１５）を有する。使用時には、所望の材料を印刷可能層（１１）上に、内側及び外側境界部（１３及び１５）の範囲内に印刷するが、通常は結果的に、若干の材料が非意図的に中心からずれて内側及び外側境界部（１３及び１５）上に印刷されてしまう。その後境界部（１３及び１５）を除去し、それにより残存する印刷された材料を相称的に印刷されたラベルとして現せる。しかしながら、材料が相称的に印刷されていれば、境界部（１３及び１５）を除去する必要はない。 【選択図】  図１
2007509454.tif 000002
【特許請求の範囲】
【請求項１】
その上面にデータ層、反射層、ラッカー又は保護層及び印刷可能層を有するＣＤ又はＤＶＤであって、前記印刷可能層には、内周部、外周部、前記内周部に隣接する除去可能な内側境界部及び前記外周部に隣接する除去可能な外側境界部を有し、前記内側及び外側境界部は選択的にＣＤ又はＤＶＤから除去可能であるＣＤ又はＤＶＤ。
【請求項２】
内側及び外側境界部を第１内側及び外側境界部とし、前記第１内側境界部の下及び外側に存在する第２内側境界部と、前記第１外側境界部の下及び内部に存在する第２外側境界部とを設けること、を特徴とする請求項１に記載のＣＤ又はＤＶＤ。  
【請求項３】
前記第２内側及び外側の除去可能な境界部を前記ＣＤ又はＤＶＤの上面に配置すること、を特徴とする請求項２に記載のＣＤ又はＤＶＤ。
【請求項４】
前記第２内側及び外側の除去可能な境界部を前記ＣＤ又はＤＶＤのラッカー層上で印刷可能層の下に配置すること、を特徴とする請求項３に記載のＣＤ又はＤＶＤ。
【請求項５】
前記第１内側及び外側の除去可能な境界部を印刷可能層の前又は後のどちらかで前記ＣＤ又はＤＶＤ上に配置すること、を特徴とする請求項２に記載のＣＤ又はＤＶＤ。
【請求項６】
前記第１内側及び外側の除去可能な境界部にはタブを有し、該タブを用いて前記境界部を前記ＣＤ又はＤＶＤから除去してもよいこと、を特徴とする請求項２に記載のＣＤ又はＤＶＤ。
【請求項７】
前記第２内側及び外側の除去可能な境界部にはタブを有し、該タブを用いて前記境界部を前記ＣＤ又はＤＶＤから除去してもよいこと、を特徴とする請求項２に記載のＣＤ又はＤＶＤ。
【請求項８】
前記第２内側及び外側の除去可能な境界部には第２タブを有し、該タブを用いて前記第１タブを前記ＣＤ又はＤＶＤから除去してもよいこと、を特徴とする請求項７に記載のＣＤ又はＤＶＤ。
【請求項９】
前記除去可能な境界部を前記印刷可能層の下にある膜上に形成すること、を特徴とする請求項１に記載のＣＤ又はＤＶＤ。
【請求項１０】
前記除去可能な境界部を、前記印刷可能層を含む膜上に形成すること、を特徴とする請求項１に記載のＣＤ又はＤＶＤ。
【請求項１１】
前記除去可能な境界部を、前記印刷可能層の前記内周部及び前記外周部の下に存在する別々の環上に形成すること、を特徴とする請求項１に記載のＣＤ又はＤＶＤ。
【請求項１２】
各タブをその境界部から除去可能にすること、を特徴とする請求項６に記載のＣＤ又はＤＶＤ。  
【請求項１３】
各タブをその境界部から除去可能にすること、を特徴とする請求項７に記載のＣＤ又はＤＶＤ。
【発明の詳細な説明】
【技術分野】
【０００１】
本発明はラベルに関し、より詳細には、ＣＤ又はＤＶＤ上面上にラベルを印刷する方法及びＣＤ又はＤＶＤをかかるラベル付けを可能にするよう構築する方法に関する。
【背景技術】
【０００２】
消費者はしばしばＣＤ又はＤＶＤにラベル付けを望むが、印刷不良が問題となり、高価なプリンタでのみＣＤ又はＤＶＤ上に直接ラベル付けできるが、これらの高価なプリンタでさえ正確なセンタリングに関して幾つかの問題がある。その結果ミスプリントが発生し、魅力的でない境界部のずれを生んでしまう。
【０００３】
これまで、消費者はしばしばミスプリントされた写真についてはその境界部を切断してきたが、これはＣＤ又はＤＶＤの境界部では不可能で、そのためＣＤ又はＤＶＤ表面上でのラベルをミスプリントする問題に対しての簡易で効果的な解決策が必要である。
【発明の開示】
【０００４】
本発明の一態様によれば、空白の印刷可能層をその上面に有するＣＤ又はＤＶＤを提供するが、該印刷可能層には内周部、外周部、該内周部に隣接する除去可能な内側境界部、及び該外周部に隣接する除去可能な外側境界部を有する。
【０００５】
使用時には、所望の材料を印刷可能層上の、内側境界部及び外側境界部の範囲内に印刷するが、通常は結果的に、材料が非意図的に中心からずれて内側境界部及び外側境界部上に印刷されてしまう。その後境界部を除去し、それにより残存する印刷された材料を相称的に印刷されたラベルとして現せる。しかしながら、材料が相称的に印刷されていれば、その後境界部を除去する必要はなく、元の状態のまま残存させられる。
【発明を実施するための最良の形態】
【０００６】
図１乃至図５で示すＣＤ又はＤＶＤ１０には印刷可能層１１をその上面に有する。印刷可能層１１には内周部１２及び外周部１４を有する。内周部１２に隣接して除去可能な内側境界部１３が存在し、外周部１４に隣接して除去可能な隣接外側境界部１５が存在する。内側境界部１３にはタブ１６を有し、外側境界部１５にはタブ１７を有する。タブ１６及び１７により容易に境界部１３及び１５を除去できる。
【０００７】
境界部１３及び１５を、それ自体が印刷可能な大円環の一部としてもよく、周辺刻み線又は切取り線を境界部と印刷可能層１１の主要部分との間に設けて機械的脆弱部分を作り、それに従って境界部を切取れるようにしてもよい。或いは、内側境界部１３及び外側境界部１５を別々に２つの環で構成して、印刷可能なコーティングでＣＤ１０及び境界部１３及び１５を覆い印刷可能層を形成してもよい。
【０００８】
意図する印刷可能層１１の配置は、ＣＤ又はＤＶＤの上面上で従来構造の後とする。従来構造は、ポリカーボネート製ディスク上にデータの記録を可能にするための必要な化学物質を層にし、次に通常アルミニウム又は金の反射層、次に保護ラッカー層と続けて構成されている。
【０００９】
境界部１３及び１５をＣＤ又はＤＶＤ１０の上面に任意の便宜な方法で任意の便宜な接着剤により接着させるが、これにより内側境界部及び外側境界部を、印刷可能層の主要部分を元の状態のまま残して、容易に除去できる。
【００１０】
タブ１６及び１７を境界部から分離可能にしておき、それにより境界部を残存させる場合にはタブを除去してもよい。
【００１１】
要求される材料を印刷可能層１１上に図１に示すように印刷した後、内側及び外側境界部１３及び１５をタブ１６及び１７を其々引張ることにより除去する。境界部を除去すると、印刷可能層１１上の残存する印刷された材料は、図５に示すような相称的な印刷されたラベルとして現れる。
【００１２】
上述した概念に対する変形例として、第２境界部を導入するものがあるが、この着想では第１境界部を常に除去し、第２境界部を“選択的に”除去可能にする。即ち、第１境界部を除去後に、画像が中心に現れれば第２境界部を残し、そうでなければ、第２境界部を除去できる。また、２つ以上の境界部を必要に応じて設けてもよい。
【００１３】
本発明のこの第２実施例について図６乃至図１１で示す。ＣＤ又はＤＶＤ２９には４枚の個別な環状膜３０、３１、３２及び３３をその上面に有しており、該膜は除去可能な境界部としての役割を果たす。除去可能な境界部３１は除去可能な境界部３０の下だが内側に存在し、除去可能な境界部３３は除去可能な境界部３２の下だが周囲に存在する。タブ３４を有する除去可能な境界部３０とタブ３５及び３６を有する除去可能な境界部３１とは互いに隣接して（平面図では‐図１０参照）ＣＤ２９の外周部に存在する。タブ３７を有する除去可能な境界部３２とタブ３８及び３９を有する除去可能な境界部３３とを互いに隣接させて（平面図では‐図１１参照）ＣＤ２９の中心部分に位置させる。
【００１４】
タブ３４及び３７により除去可能な境界部の第１層、即ち除去可能な境界部３０及び３２を容易に除去できる。境界部３０及び境界部３２を除去すると、境界部３１及び境界部３３のタブが現れ、それにより境界部３１及び境界部３３をタブ３５及びタブ３８で其々容易に除去できる。
【００１５】
除去可能な境界部３１及び３３をＣＤ又はＤＶＤ２９の上面上で従来構造において配置する。これらの境界部３１及び３３をラッカー層上で、インクジェット印刷用染料を吸収可能な任意の層（“印刷可能層”）を付与した下に配置する。
【００１６】
除去可能な境界部３０及び３２を、印刷可能層を任意の便宜な方法で任意の便宜な接着剤により付与する前又は後どちらかで上面に接着させ、そうすることで除去可能な境界部３１及び３３を元の状態のまま残しながら容易に除去できる。
【００１７】
タブ３６及びタブ３９により、内側の境界部３１及び３３を残存させる場合には、タブ３５及びタブ３８を其々容易に除去できる。
【００１８】
要求される材料をＣＤ又はＤＶＤ２９上に印刷した後、境界部３０及び境界部３２を、タブ３４及びタブ３７を其々引張ることにより除去できる。境界部３０及び３２を除去する場合、境界部３１及び境界部３３により残存する印刷された材料の位置調節を、其々タブ３５及びタブ３８で除去する又は、タブ３５及びタブ３８を其々タブ３６及びタブ３９で除去して残存させるかにより、微調節できる。
【００１９】
ＣＤ又はＤＶＤに関して除去可能な境界部を適宜選択して用いることで、現在のラベル印刷不良の解決策となる。
【００２０】
この除去可能な境界部には二次的な効果があり、それはユーザがより確信して印刷する材料の配置目標をＣＤ又はＤＶＤの縁部内に定められ、従って縁部を超えて印刷してしまう必要性を取除け、簡単に中心にくる印刷を達成できる。その結果、ミスプリントされるインクは除去可能な境界部上に止まり、ＣＤ又はＤＶＤを保持する装置‐例えばプリンタ‐の基板又はハードウェア上には及ばない。
【００２１】
様々な変更例を、本発明の設計及び適用の詳細において、本発明の意図及び範囲から逸脱することなく、実施してもよい。
【図面の簡単な説明】
【００２２】
【図１】本発明の一実施例による、その上に印刷可能層を有するＣＤの上面図であり、該層上には材料が非相称的に印刷されている。
【図２】図１で示したＣＤの外周部の拡大図である。
【図３】図１で示したＣＤの中央部分の部分側面図であり、除去可能なタブを示す。
【図４】図１で示したＣＤの外側部分の部分側面図であり、除去可能なタブを示す。
【図５】図１で示したＣＤの上面図であり、両境界部を除去してある。
【図６】本発明の第２実施例による除去可能な膜を有するＣＤの分解図である。
【図７】図６で示したＣＤの側面図である。
【図８】図６で示したＣＤの上面図である。
【図９】図７で示したＣＤの部分Ａの拡大部分側面図である。
【図１０】図８で示したＣＤの部分Ｂの拡大部分上面図である。
【図１１】図８で示したＣＤの部分Ｃの拡大部分上面図である。
【符号の説明】
【００２３】
１０、２９        ＣＤ又はＤＶＤ
１１            印刷可能層
１２            内周部
１３            内側境界部
１４            外周部
１５            外側境界部
３０〜３３        環状膜、除去可能な境界部
１６〜１７、３４〜３９    タブ
【図１】
2007509454.tif 000003
【図２】
2007509454.tif 000004
【図３】
2007509454.tif 000005
【図４】
2007509454.tif 000006
【図５】
2007509454.tif 000007
【図６】
2007509454.tif 000008
【図７】
2007509454.tif 000009
【図８】
2007509454.tif 000010
【図９】
2007509454.tif 000011
【図１０】
2007509454.tif 000012
【図１１】
2007509454.tif 000013
【国際調査報告】
2007509454.tif 000014
2007509454.tif 000015